(57)【要約】【課題】ゴルフのコースラウンドでのパッティングに必要な全ての技術をチェック練習出来るパッティング練習マット。【解決手段】パッティングにおいて、打ち出したい方向にいつもパッティング練習マット使用時と同じアドレスが取れるよう練習出来るアドレスチェッカー「図４」と、ストローク・振り幅・テンポを同時に練習出来るストロークガイド「図３」を有するパッティング練習マット。前記パッティング練習マットは、ボールセットエリア（１４）からボールを打ち、ジャンプスロープ（２）でジャンプさせ、ゴールボックス（１７〜２０）のいずれかに入れることが出来る。【選択図】図２
2017140341.tif 000002
【特許請求の範囲】
【請求項１】
練習者がボールを打ち出すボールセットエリア（１４）と打ち出された前記ボールをジャンプさせるジャンプスロープ（２）と前記ジャンプスロープにてジャンプした前記ボールを受けるゴールケース（１）を有し、前記ボールケースは前記ジャンプスロープからの距離が異なる複数のゴールボックス（１７〜２０）に分割されていることを特徴とするパッティング練習マット。
【請求項２】
前記ゴールケースは、前記複数のゴールボックスの数及び位置のうち、少なくとも一方を異なる色の仕切り部材（２１〜２４）によって変更可能であることを特徴とする請求項１に記載のパッティング練習マット。
【請求項３】
前記ボールセットエリアから前記ゴールボックスの真ん中方向目がけて打つ目的を達成出来ず、異なる方向へ打ち出されたボールの通過を阻止するゲート（１３）と、インパクトの際パターヘッドがアドレスと異なる位置に戻ってしまった時、前記パターヘッドの通過を阻止するゲート（１２）を有することを特徴とする請求項１から２のいずれか一項に記載のパッティング練習マット。
【請求項４】
前記ボールセットエリア（１４）から安定的に真っすぐボールを打てている際のアドレス（両つま先の位置）とボールポジションをマス目で確認出来るアドレスチェッカー「図４」を有する請求項１から３のいずれか一項に記載のパッティング練習マット。
【請求項５】
前記ボールセットエリア（１４）でのパッティングにおいて、ストロークの弧と振り幅をイメージ出来るストロークガイド「図３」を有する請求項１から４のいずれか一項に記載のパッティング練習マット。
【請求項６】
前記ストロークガイド「図３」には、様々な左右対称の振り幅を、色分けされたクリップ型振り幅指標（３〜１０）を装着することで表現出来、前記クリップ型振り幅指標の位置や数を変更可能であることを特徴とする前記ストロークガイドを有する請求項１から５のいずれか一項に記載のパッティング練習マット。
【請求項７】
前記パッティングに際して、所定間隔で音を発する発音器（１１）を有することを特徴とする請求項１から６のいずれか一項に記載のパッティング練習マット。
【請求項８】
前記発音器は、前記練習者が装着可能なイヤホン型メトロノームであることを特徴とする１から７のいずれかに記載のパッティング練習マット。
【発明の詳細な説明】
【技術分野】
【０００１】  本発明はゴルフのパッティングに必要な３つの基礎技術（アドレス・ストローク・距離感）の習得を促すパッティング練習マットに関する。
【発明の概要】
【従来の技術及び発明が解決しようとする課題】
【０００２】  ゴルフのコースラウンド中のパッティングにおける技術的問題点は、１）打ち出したい方向に普段パッティング練習マットで練習している時と同じアドレスを再現出来ない。２）前記１）のため、ストロークも再現出来ない。３）距離感が安定しない。もしくは調整出来ない。
従来のパッティング練習マットでは、その範囲内でのカップインを目指すのみの目的が主であり、実際のコースラウンドでの成果に結び付く価値にまだ問題を残している。
上記の技術的問題点をトータル的に習得出来、尚且つ練習マットという小スペースで、ロングパットの技術習得も可能なパッティング練習マットが望まれていた。
【課題を解決するための手段】
【０００３】  アドレスでは、本発明のパッティング練習マットで真っすぐ安定してボールを打てるアドレスを取り、その際のスタンスの位置やボールポジションをアドレスチェッカー「図４」のマス目指標を利用して調べる。そして前記練習マット以外で何らかのターゲットに対してボールにアドレスした際、前記練習マットでのアドレスが再現出来ているか、再度前記アドレスチェッカーで確認する。
ストロークでは、ゲート（１２）を振り子の素振りをしながら連続で通過可能なストロークの湾曲をストロークガイド「図３」の角度で決定する。
距離感では振り幅とテンポによって規則性を生み出し、振り幅とテンポを統一して同じゴールボックスに連続でボールを入れたり、テンポを変えずに振り幅だけ変えることで、狙うゴールボックスを変えたりして感性を高める練習をする。
このように曖昧なことを具現化し、従来の練習マットと同じ小スペースでロングパットまで十分に練習出来、更にパッティングに必要な基礎技術であるアドレス・ストローク・距離感のすべてのチェックと練習が可能であることを特徴とする。
【実施例】
【０００４】  以下に本発明の実施例を示す。但し、本発明は以下の実施例に制限されるものではない。
【実施例１】
【０００５】  練習者がボールセットエリア（１４）から打ったボールは、ジャンプスロープ（２）でジャンプし、いくつかに仕切られたゴールボックス（１７から２０）のいずれかに入る。
【実施例２】
【０００６】  ストロークガイド「図３」のクリップ型振り幅指標（３〜１０）とゴールケース（１）の仕切り部材（２１〜２４）の色分けを利用して距離の打ち分けの練習をする。例えば、クリップ型振り幅指標（６）（７）と仕切り部材（２４）を赤にすると、この振り幅（６）（７）でボールセットエリア（１４）から打ったボールは、仕切り部材（２４）の手前のゴールボックス（２０）に入るよう狙って練習する。
【実施例３】
【０００７】  本発明のパッティング練習マットのボールセットエリア（１４）から練習する際、最も真っすぐ打ち易いアドレスを決定し、その時のスタンス位置とボールポジションをアドレスチェッカー「図４」で調べる。次に前記パッティング練習マット以外でボールから８０ｃｍ程度離れた何らかの小さなターゲットを狙って真っすぐアドレスする。このアドレスが前記パッティング練習マット使用時と同じか再度前記アドレスチェッカーで確認する。
【実施例４】
【０００８】  イヤホン型メトロノーム（１１）の音に合わせバックスイングをスタートし、次の音でインパクトする。最も距離感を出し易いテンポを見つけ（６０から８０ビート程度）振り幅の大小に関わらずテンポを変えずに打てるよう練習し、（実施例２）の練習に繋げる。
【実施例５】
【０００９】  ゲート（１２、１３）はボールセットエリアの（１５）と打ち出し方向約８０ｃｍ先の（１６）の２ヶ所に設置可能で、そのゲート幅はいずれも変えられる。
【実施例６】
【００１０】  イヤホン型メトロノーム（１１）は取り外してコースに持参し、パッティンググリーンでの練習時にいつもと同じテンポを聞きながら練習する。
【発明の効果】
【００１１】  ゴルフのコースラウンドでのパッティングにおいて必要とされる基礎技術と感性を、自宅などの小スペースでチェック練習することが出来る。
【図面の簡単な説明】
【００１２】
【図１】本発明のパッティング練習マットを横から見た平面図である。
【図２】本発明のパッティング練習マットを上から見た平面図である。
【図３】本発明のパッティング練習マットの一部であるストロークガイドを斜上から見た概視図である。
【図４】本発明のパッティング練習マットの一部であるアドレスチェッカーを斜上から見た概視図である。
【符号の説明】
【００１３】  １、  ゴールケース
２、  ジャンプスロープ
３〜１０、  クリップ型振り幅指標
１１、  イヤホン型メトロノーム
１２、１３、  ゲート
１４、  ボールセットエリア
１５、１６、  ゲート設置箇所
１７〜２０、  ゲートボックス
２１〜２４、  仕切り部材
２５、  仕切り部材のはめ込みレール
２６、  ストロークガイドバー
２７、  固形の網もしくは透明アクリル板に碁盤の目を描いた物
２８、  ボール形状の支柱
【図１】
2017140341.tif 000003
【図２】
2017140341.tif 000004
【図３】
2017140341.tif 000005
【図４】
2017140341.tif 000006